(57)【特許請求の範囲】
【請求項１】
陳列ケースの奥行方向における商品の取出側に位置させ模擬壁板を取り付けてなる取出側基体と、該取出側基体の後部に係着し前記陳列ケースの壁側に位置させてなる壁側基体とで構成し、前記取出側基体及び前記壁側基体のいずれか一方に一の係着部を設け、いずれか他方に複数の係着部を所定間隔で前記奥行方向に設けてなり、前記複数の係着部の任意の一箇所に前記一の係着部を係着することで、前記模擬壁板の前記奥行方向における設置位置を調整できるようにしたことを特徴とする商品陳列空間調整機能付き模擬壁板スタンド。
【請求項２】
前記一の係着部及び前記複数の係着部のいずれか一方が係着凸部である場合、いずれか他方は係着凹部である請求項１記載の商品陳列空間調整機能付き模擬壁板スタンド。
【請求項３】
前記取出側基体の商品の取出側部に複数の模擬壁板の差込部を所定間隔で垂直方向に設けた請求項１又は２記載の商品陳列空間調整機能付き模擬壁板スタンド。
【請求項４】
前記壁側基体側部に連結部を設け、複数の前記壁側基体を連結し、前記取出側基体に取り付けた模擬壁板の前記奥行方向における設置位置を調整できるようにした請求項１〜３のいずれか１項記載の商品陳列空間調整機能付き模擬壁板スタンド。
【発明の詳細な説明】
【０００１】
【発明の属する技術分野】
本発明は、主にスーパー、百貨店、専門店、コンビニエンスストアー等の冷蔵・冷凍等の陳列ケースで商品を陳列するのに用いられ、陳列商品量に係わらず常にボリューム感を出せるようにした商品陳列空間調整機能付き模擬壁板スタンドに関する。
【０００２】
【従来の技術】
従来、スーパー等の店内での商品陳列は、それの出来、不出来により商品の売れ行きが左右されることが多いから、色々と工夫が凝らされ、様々な方法が取られて、その模様替えも頻繁に行われる。そして、商品は陳列台の手前の方から順次売れるから、時間がたつにつれ陳列台の手前には商品が無くなったり、ごく少量になる。特に、生鮮食料品を陳列する冷蔵ショーケースでは上記傾向が顕著となり、客は冷蔵ショーケースの奥の方にある商品を見逃したり、何となく取り辛かったりして、商品の売れ行きに悪い影響を及ぼすことが多くなる。従って、冷蔵ショーケースの奥の方にある商品を店員が手前に移して、その悪影響を排除している。また、最初から陳列商品が少量である場合は、冷蔵ショーケースの仕切りを小さくし、その仕切り内に少量の商品を陳列するなどして、対応していた。
【０００３】
しかし、陳列商品が最初から少ない場合でも、ボリューム感を出した方が購買心理を刺激するので、図１０に示すように、冷蔵ショーケースａの奥に奥行き調整台ｂを置いて奥行きを詰め、商品陳列空間ｃを減らして、陳列商品のボリューム感を出すようにしている。また、更に陳列商品が少ない場合は、図１１に示すように、冷蔵ショーケースａの最奥を狭く見せる模擬壁板（ふかし板）ｄを置き、更に上述の奥行き調整台ｂも置いて奥行きを大きく詰めて、一層商品陳列空間ｃを減らして、陳列商品のボリューム感を強く出すようなことも行われている。
【０００４】
【発明が解決しようとする課題】
しかながら、図１０の奥行き調整台ｂでは、冷蔵ショーケースａの奥行きを多少詰めて、商品陳列空間ｃを減らし得ても、その減らす量が少ないから陳列商品のボリューム感を出すことができる許容量は少ない。また、図１１の模擬壁板ｄは、陳列商品のボリューム感を出す許容量が大きく都合が良いが、反面、冷蔵ショーケースａの奥行きや高さも様々であり、それに合わせた寸法の模擬壁板ｄが必要となり、更に奥行き調整台ｂの寸法も合わさなければならないこともある。現状では、対象となる冷蔵ショーケースａを事前に調査して、それに合わせた寸法の模擬壁板ｄ及び奥行き調整台ｂとする必要がある。更に、この事前調査をしても、冷蔵ショーケースａが設置直前に変更となることもあり、その場合には模擬壁板ｄ、場合により奥行き調整台ｂも無駄となり、最悪時これらがないまま、冷蔵ショーケースａに商品の陳列を行う羽目になる可能性もある。また、陳列商品量の変化に対応して、多くのサイズの模擬壁板ｄや奥行き調整台ｂを用意保管しなければならない煩わしさもある。
【０００５】
従って、本発明の目的は、各種基材を用意することなく、種々の商品の陳列ケースに容易且つ直ちに対応して、陳列商品の多少に係わらず、常に陳列商品のボリューム感を出すことのできる商品陳列空間調整機能付き模擬壁板スタンドを提供することにある。
【０００６】
【課題を解決するための手段】
かかる状況において、本発明者らは、鋭意検討を行った結果、陳列ケースの奥行方向における商品の取出側に位置させ模擬壁板を取り付けてなる取出側基体と、この後部に係着する壁側基体とで構成し、取出側基体に一の係着凸部を設け、壁側基体に複数の係着凹部を所定間隔で奥行方向に設けて、複数の係着凹部の任意箇所に係着凸部を係着すれば、模擬壁板の設置位置を調整でき、種々の商品陳列空間を有する商品陳列ケースに直ちに対応できて、陳列商品の多少に係わらずボリューム感を出すことができること等を見出し、本発明を完成するに至った。
【０００７】
すなわち、本発明の請求項１に記載の商品陳列空間調整機能付き模擬壁板スタンドは、陳列ケースの奥行方向における商品の取出側に位置させ模擬壁板を取り付けてなる取出側基体と、該取出側基体の後部に係着し前記陳列ケースの壁側に位置させてなる壁側基体とで構成し、前記取出側基体及び前記壁側基体のいずれか一方に一の係着部を設け、いずれか他方に複数の係着部を所定間隔で前記奥行方向に設けてなり、前記複数の係着部の任意の一箇所に前記一の係着部を係着することで、前記模擬壁板の前記奥行方向における設置位置を調整できるようにしたことを特徴とする。
【０００８】
請求項２に記載の発明は、前記一の係着部及び前記複数の係着部のいずれか一方が係着凸部である場合、いずれか他方は係着凹部であることを特徴とする。
【０００９】
請求項３に記載の発明は、前記取出側基体の商品の取出側部に複数の模擬壁板の差込部を所定間隔で垂直方向に設けたことを特徴とする。
【００１０】
請求項４に記載の発明は、前記壁側基体側部に連結部を設け、複数の前記壁側基体を連結し、前記取出側基体に取り付けた模擬壁板の前記奥行方向における設置位置を調整できるようにしたことを特徴とする。
【００１１】
【発明の実施の形態】
次に、本発明の実施の形態における商品陳列空間調整機能付き模擬壁板スタンド（以下、単に「調整機能付き模擬壁板スタンド」と言う）を図１〜９に基づいて詳述する。図１は本発明の実施の形態である調整機能付き模擬壁板スタンドを示す側面図、図２は図１のII−II線に沿う断面図である。両図において、調整機能付き模擬壁板スタンド１は、陳列ケース（図８及び図９参照）２の奥行方向における商品の取出側に位置させ模擬壁板３を取り付けてなる取出側基体４と、この取出側基体４の後部に係着し陳列ケース２の壁側に位置させてなる壁側基体５とで構成し、これら取出側基体４及び壁側基体５のいずれか一方に一の係着部６を設け、いずれか他方に複数の係着部７を所定間隔で奥行方向に設けてなり、複数の係着部７の任意の一箇所に一の係着部６を係着することで、模擬壁板３の奥行方向における設置位置を調整して、その陳列ケース２内における商品陳列空間８を調整可能としたものである。
【００１２】
この調整機能付き模擬壁板スタンド１は、陳列ケース２内に直接、あるいは陳列ケース２内で別に設置した後述の棚２６（図５、図７、図８及び図９参照）で使用されるものである。この陳列ケース２は、特に限定はなく、この実施の形態例を示す図８及び図９では冷蔵ショーケースであり、図１、図５、図７、図８及び図９中、符号Ａはその冷蔵ショーケースである陳列ケース２の奥行方向における商品の取出側を示し、符号Ｂはその奥行方向の壁側を示す。
【００１３】
前記取出側基体４は、その取出側Ａの側部が垂直面１０となり、壁側Ｂの上部が傾斜面１１で下部が図３に示すように切欠き１２となって、前記壁側基体５を跨げるようになり、更にその両側が垂直側面１３になっている。垂直面１０にはその上部、中部、下部に前記模擬壁板３が差し込まれ、装着出来る差込部１４、１５、１６が設けられている。図８に示すような奥行き調整台１７が無い場合は、下部差込部１６に模擬壁板３を装着し、模擬壁板３のみにより、陳列ケース２の奥行きを調整するようにする。奥行き調整台１７の高さが中部差込部１５（図５参照）や上部差込部１６の高さ以上有る場合は、奥行き調整台１７により隠れる部分は模擬壁板３を必要としないから、それらの高さに合わせた模擬壁板３を装着し、それ以上陳列ケース２の壁側Ｂを見えないようにする。
【００１４】
そして、取出側基体４の両垂直側面１３の切欠き１２側に前述の一の係着部６を設けている。この一の係着部６は、壁側基体５の両垂直側面２０に所定間隔で奥行き方向に設けている前記複数の係着部７に、それぞれ係着できるようになっている。この係着部６は、この実施の形態例では係着凸部６１であり、係着部７は、この実施の形態例では係着凹部７１である。従って、複数の係着凹部７１の任意箇所に一の係着凸部６１を嵌めることで、壁側基体５に取出側基体４を奥行方向の長さを変えて係着することになる。すなわち、壁側基体５の奥行方向に所定間隔で設けた複数の係着凹部７１の範囲内であれば、任意の一箇所、すなわち、必要とする前記商品陳列空間８に合わせて複数の係着凹部７１から一箇所を選択して、それに取出側基体４の一の係着凸部６１を係着することで、必要とする商品陳列空間８を得ることができるのである。
【００１５】
なお、上記と逆に、取出側基体４の両垂直側面１３に複数の係着凸部６１を奥行方向に所定間隔で設け、壁側基体５の両垂直側面２０の取出側Ａの端部に一の係着凹部７１を設けても、上述の通りの必要とする商品陳列空間８を得ることができる。
【００１６】
また、取出側基体４の両垂直側面１３の壁側Ｂの端部に一の係着凹部７１を設け、壁側基体５の両垂直側面２０に複数の係着凸部６１を奥行方向に所定間隔で設けても、上述の通りの必要とする商品陳列空間８を得ることができる。
【００１７】
また、上記と逆に、取出側基体４の両垂直側面１３に複数の係着凹部７１を奥行方向に所定間隔で設け、壁側基体５の両垂直側面２０の取出側Ａの端部に一の係着凸部６１を設けても、上述の通りの必要とする商品陳列空間８を得ることができる。すなわち、前記一の係着部６及び前記複数の係着部７のいずれか一方が係着凸部６１である場合、いずれか他方は係着凹部７１であれば良く、必要とする商品陳列空間８を得ることができる。
【００１８】
そして、壁側基体５は、直方体であり、その取出側Ａ及び壁側Ｂの側部２１及び２２には、図６に示すように連結部２３を設けている。この連結部２３は、側部２１に設けた掛け片２４と、側部２２に設けた掛け穴２５とからなり、掛け片２４に掛け穴２５を掛けることで、壁側基体５同士を連結でき、１つの壁側基体５の奥行方向の長さ分、必要とする商品陳列空間８を狭くすることができる。なお、これらの掛け片２４及び掛け穴２５は、壁側基体５に対する設け位置が逆であっても何ら差し支えない。
【００１９】
次に、上記構成になる調整機能付き模擬壁板スタンド１の使用方法を説明する。先ず、設置する陳列ケース２、陳列する商品及びその量を考慮して、調整機能付き模擬壁板スタンド１の数量を決める。この数量は原則１組２個であるが、陳列ケース２の間口が狭い場合は１組１個でも可能である。更に、奥行き調整台１７の有無により模擬壁板３のサイズを決める。そして、陳列ケース２において必要とする商品陳列空間８に応じて、壁側基体５の複数の係着凹部７１から適切な一箇所の係着凹部７１を選択し、図３に示すように、その係着凹部７１に取出側基体４の一の係着凸部６１を嵌めることで、調整機能付き模擬壁板スタンド１をセットする。図４に示すように、調整機能付き模擬壁板スタンド１を２組セットして、奥行き調整台１７の高さが中部差込部１５の高さまで有ることを前提として、その高さに合わせた模擬壁板３を装着する。図５に示すように、陳列ケース２の棚２６に調整機能付き模擬壁板スタンド１及び模擬壁板３のセット品Ｓを載置し、更に奥行き調整台１７も載置して陳列ケース２の壁側Ｂが取出側Ａから見えないようにすると共に、陳列ケース２における必要とする商品陳列空間８を確保する。
【００２０】
また、図８及び図９に示す棚２６が陳列ケース２の取出側Ａに傾斜している場合は、図７に示すように、壁側基体５の側部２２下部に止め片２７を設け、上記の調整機能付き模擬壁板スタンド１及び模擬壁板３のセット品Ｓが陳列ケース２の取出側Ａに移動しないようにしている。なお、セット品Ｓが確実に取出側Ａに移動しないように、壁側基体５の裏面にマグネットを取り付けても良い。但し、その場合棚２６は鉄製であることが前提となる。そして、図８及び図９に示すように、陳列ケース２に直接、あるいは棚２６にセット品Ｓや奥行き調整台１７を設置して、必要とする商品陳列空間８を確保している。図８は調整機能付き模擬壁板スタンド１及び模擬壁板３のセット品Ｓのみで、必要とする商品陳列空間８を確保したものであり、図９はセット品Ｓに加えて奥行き調整台１７も設置して、必要とする商品陳列空間８を確保したものである。従って、図８の調整機能付き模擬壁板スタンド１は、下部差込部１６に模擬壁板３を装着しているのに対して、図９の調整機能付き模擬壁板スタンド１は、中部差込部１５に模擬壁板３を装着して、いずれも陳列ケース２の壁側Ｂが見えないようにすると共に、高さ方向の空間も調整している。
【００２１】
以上、本発明の実施形態を説明したが、具体的な構成はこれに限定されず、本発明の要旨を逸脱しない範囲での変更、追加は本発明の範囲内である。
【００２２】
【発明の効果】
以上詳述したように、請求項１の発明によれば、複数の係着部の任意の一箇所に一の係着部を嵌めることで、取出側基体及び壁側基体の奥行方向長さを調整でき、すなわち、模擬壁板の設置位置を調整して、陳列ケースにおける必要とする商品陳列空間を確保できる。従って、多数の基材を保持すること無く、種々の商品の陳列ケースに容易且つ直ちに対応して、陳列商品の多少に係わらず、常に陳列商品のボリューム感を出すことができ、客の購買意欲を高いレベルで常に保持できる。
【００２３】
請求項２の発明によれば、一の係着部及び複数の係着部のいずれが係着凸部であっても、他方が係着凹部であれば、取出側基体及び壁側基体を係着でき、上記と同様にその奥行方向長さを調整でき、すなわち、模擬壁板の設置位置を調整して、陳列ケースにおける必要とする商品陳列空間を確保できる。従って、上記効果を同様に確保できる。
【００２４】
請求項３の発明によれば、陳列ケースの商品陳列空間の使用状況に応じて、適切な垂直方向位置の差込部に模擬壁板を差し込んでも、模擬壁板の役割を全うできる。従って、上記効果に加え、模擬壁板を小型化できる。
【００２５】
請求項４の発明によれば、連結部により複数の壁側基体を連結し、その分模擬壁板の奥行方向における設置位置の調整幅を大きくできる。従って、上記よりも陳列商品が少なくても、陳列商品のボリューム感を出す効果を維持できる。
【図面の簡単な説明】
【図１】本発明の実施の形態である調整機能付模擬壁板スタンドを示す側面図である。
【図２】図１のII−II線に沿う断面図である。
【図３】本発明の実施の形態例である調整機能付き模擬壁板スタンドの組み立て状態の斜視図である。
【図４】本発明の実施の形態例である調整機能付き模擬壁板スタンドの組み立て状態の斜視図である。
【図５】本発明の実施の形態例である調整機能付き模擬壁板スタンドの使用状態を示す斜視図である。
【図６】本発明の実施の形態例である調整機能付き模擬壁板スタンドの壁側基体の連結状態を示す斜視図である。
【図７】本発明の実施の形態例である調整機能付き模擬壁板スタンドの使用状態を示す斜視図である。
【図８】本発明の実施の形態例である調整機能付き模擬壁板スタンドの組込状態を示す斜視図である。
【図９】本発明の実施の形態例である調整機能付き模擬壁板スタンドの組込状態を示す斜視図である。
【図１０】従来例を示す側面図である。
【図１１】従来例を示す側面図である。
【符号の説明】
１                        調整機能付き模擬壁板スタンド
２                        陳列ケース
３、ｄ                    模擬壁板
４                        取出側基体
５                        壁側基体
６                        一の係着部
７                        複数の係着部
８、ｃ                    商品陳列空間
１０                      垂直面
１１                      傾斜面
１２                      切欠き
１３                      垂直側面
１４                      上部差込部
１５                      中部差込部
１６                      下部差込部
１７、ｂ                  奥行き調整台
２０                      垂直側面
２１、２２                側部
２３                      連結部
２４                      掛け片
２５                      掛け穴
２６                      棚
２７                      止め片
Ａ                        取出側
ａ                        冷蔵ショーケース
Ｂ                        壁側
Ｓ                        セット品
【図１】
0004104050.tif 000002
【図２】
0004104050.tif 000003
【図３】
0004104050.tif 000004
【図４】
0004104050.tif 000005
【図５】
0004104050.tif 000006
【図６】
0004104050.tif 000007
【図７】
0004104050.tif 000008
【図８】
0004104050.tif 000009
【図９】
0004104050.tif 000010
【図１０】
0004104050.tif 000011
【図１１】
0004104050.tif 000012